(57)【要約】【課題】  折りたたみ式携帯電話機の開閉検出のためだけに用いられる素子を使用せずに開閉検出を可能とする手段を提供する。【解決手段】  音源部１５０は、制御部１００より動作指令があった場合、制御部１００により指定された可聴周波数以上の音を発生し、レシーバ１１０を介して超音波として外部に出力する。携帯電話機が折りたたまれているときには、レシーバ１１０とマイク１２０が相対向した状態となっているので、レシーバ１１０から出力された超音波はマイク１１０で受波されて検出部１６０で検出される。携帯電話機が開かれているときには、レシーバ１１０から出力された超音波はマイク１１０でほとんど受波できないため検出部１６０では検出されない。制御部１００は、検出部１６０が超音波信号を検出しているときは携帯電話機が折りたたまれている（閉状態）と判定する。【選択図】      図２
2006211036.tif 000002
【特許請求の範囲】
【請求項１】
フロント面に通話用マイクが配置されている第１の筐体と、フロント面に通話相手からの音声等を出力するためのレシーバが配置されている第２の筐体とからなり、ヒンジ部により前記第１および第２の筐体のフロント面を相対向させて折りたたみ可能に構成された折りたたみ式携帯電話機の開閉検出方法において、
前記レシーバより所定周波数の音波を出力し、前記マイクにより前記所定周波数の音波が所定閾値以上のレベルで受信されたとき、前記折りたたみ式携帯電話機が閉状態（折りたたまれている）と判定することを特徴とする折りたたみ式携帯電話機の開閉検出方法。
【請求項２】
前記所定周波数の音波は、可聴周波数以上の音波であることを特徴とする請求項１に記載の折りたたみ式携帯電話機の開閉検出方法。
【請求項３】
前記所定周波数の音波として、予め登録した互いに周波数の異なる複数の音波を使用することを特徴とする請求項１または２に記載の折りたたみ式携帯電話機の開閉検出方法。
【請求項４】
前記所定周波数の音波として、予め登録した特定のパターンを有する音波を使用することを特徴とする請求項１または２に記載の折りたたみ式携帯電話機の開閉検出方法。
【請求項５】
前記所定周波数の音波として、予め登録した互いに周波数の異なる複数の音波を使用するとともに、該複数の音波に対してそれぞれ特定のパターンが設定された音波を使用することを特徴とする請求項１または２に記載の折りたたみ式携帯電話機の開閉検出方法。
【請求項６】
前記折りたたみ式携帯電話機が通話状態ではなく、かつ該折りたたみ式携帯電話機に設けられたキー操作部からのアクセスが一定時間以上ないときのみ、特定時間ごとに前記所定周波数の音波を送出することを特徴とする請求項１〜５のいずれかに記載の折りたたみ式携帯電話機の開閉検出方法。
【請求項７】
フロント面に通話用が配置されている第１の筐体と、フロント面に通話相手からの音声等を出力するためのレシーバが配置されている第２の筐体とからなり、ヒンジ部により前記第１および第２の筐体のフロント面を相対向させて折りたたみ可能に構成された折りたたみ式携帯電話機において、
所定周波数の信号を発生して前記レシーバより音波として出力する音源部と、前記マイクにより受信された前記所定周波数の音波を検出する検出部と、前記音源部における前記所定周波数の信号の発生を制御するとともに、前記検出部における前記所定周波数の音波の検出状況に基づいて、当該折りたたみ式携帯電話機の開閉状態を判定する制御部とを備えていることを特徴とする折りたたみ式携帯電話機。
【請求項８】
前記レシーバと前記マイクは、前記折りたたみ式携帯電話機が折りたたまれた状態のときに、互いに向きあう位置となるように配置されていることを特徴とする請求項７に記載の折りたたみ式携帯電話機。
【請求項９】
前記音源部から出力される前記所定周波数の信号は、可聴周波数以上の信号であることを特徴とする請求項７または８に記載の折りたたみ式携帯電話機。
【請求項１０】
前記制御部は、前記折りたたみ式携帯電話機が通話状態ではなく、かつ該折りたたみ式携帯電話機に設けられているキー操作部からのアクセスが一定時間以上ないときのみ、特定時間ごとに前記音源部に対して前記所定周波数信号の発生を指示するとともに前記検出部から前記検出状況を受け付けることにより、前記判定を行う機能を有していることを特徴とする請求項７〜９のいずれかに記載の折りたたみ式携帯電話機。
【請求項１１】
前記音源部は、前記所定周波数の信号として、予め登録した互いに周波数の異なる複数の信号を発生する機能を有しており、前記検出部は、前記マイクで受信された音波に前記互いに周波数の異なる複数の信号が全て含まれているとき、前記制御部に対して検出信号を出力する機能を有していることを特徴とする請求項７〜１０のいずれかに記載の折りたたみ式携帯電話機。
【請求項１２】
前記音源部は、前記所定周波数の信号として、予め登録した特定のパターンを有する信号を発生する機能を有しており、前記検出部は、前記マイクで受信された音波に前記特定のパターンが含まれているとき、前記制御部に対して検出信号を出力する機能を有していることを特徴とする請求項７〜１０のいずれかに記載の折りたたみ式携帯電話機。
【請求項１３】
前記音源部は、前記所定周波数の信号として、予め登録した互いに周波数の異なる複数の信号であって、かつ該複数の信号に対してそれぞれ特定のパターンが設定された信号を発生する機能を有しており、前記検出部は、前記マイクで受信された音波に前記互いに周波数の異なる複数の信号と前記特定のパターンとが全て含まれているとき、前記制御部に対して検出信号を出力する機能を有していることを特徴とする請求項７〜１０のいずれかに記載の折りたたみ式携帯電話機。
【発明の詳細な説明】
【技術分野】
【０００１】
本発明は折りたたみ式携帯電話機に関し、特に、折りたたみ式携帯電話機が折りたたまれている状態（閉状態）と、折りたたまれていない状態（開状態）とを、識別して検出する開閉検出方法に関する。
【背景技術】
【０００２】
折りたたみ式携帯電話機では、消費電流削減のため折りたたんだ状態では必要最低限な機能のみ動作させ、例えばＬＣＤバックライトをＯＦＦにする等、折りたたまれている状態では使用されない機能への電源供給をＯＦＦにして動作させないようにする制御が行われる。そのため、携帯電話機が現在折りたたまれている状態（閉状態）なのか、折りたたまれていない状態（開状態）なのかを判断する手段を携帯電話機に設ける必要があり、従来、磁気センサ、光学センサ、マイクロスイッチ等を用いた開閉状態検出方法が採用されている（特許文献１〜３参照）。
【０００３】
図６は、そのような開閉検出手段を備えた従来例を示す折りたたみ式携帯電話機の概略図であり、折りたたみ式携帯電話機１０は、フロント面に、自分の音声等を入力するためのマイク１２０、ユーザが文字入力や番号入力等をするためのキー操作部１４０等が配置されている第１の筐体１１と、フロント面に、相手の音声や着信メロディー音等を出力するためのレシーバ１１０、ユーザへのメッセージを表示する機能あるいはバックライトをＯＮ／ＯＦＦする機能を有するＬＣＤ部１３０等が配置されている第２の筐体１２とが、フロント面を開閉するヒンジ部により結合した構成となっている。
【０００４】
また、第１の筐体１１と第２の筐体１２には、磁気センサ２２０と磁石２１０とが、この携帯電話機１０を折りたたんだ状態（閉状態）のとき互いに近接して対向する位置に設けられている。磁石２１０は第２の筐体１２に配置されたレシーバが備えている磁石によって兼用される場合もある。
【０００５】
この折りたたみ式携帯電話機に内蔵されている制御部は、磁気センサ２２０による磁気検出状態を監視しており、磁気センサ２２０が磁気を検出している時はこの折りたたみ式携帯電話機１０が閉状態、そうでない時は開状態であると判断し、携帯電話機１０の閉状態が検出されているときには、携帯電話機１０の消費電流削減のために必要最低限な機能のみ動作させ、不要な機能への動作電源の供給を停止するように制御している。
【０００６】
【特許文献１】特開２０００−０６９１３０号公報
【特許文献２】特開２００２−３５４０９７号公報
【特許文献３】特開２００４−１８７１０５号公報
【発明の開示】
【発明が解決しようとする課題】
【０００７】
上記従来技術においては、折りたたみ式携帯電話機の開閉検出のためだけに、磁気センサ、光学センサ、あるいはマイクロスイッチ等の部品を付加する必要があり、コストアップの要因となっている。また装置の小型化を妨げる要因でもある。
【０００８】
本発明の目的は、上記問題点に鑑み、磁気センサ、光学センサ、マイクロスイッチ等の、折りたたみ式携帯電話機の開閉検出のためだけに用いられる素子は使用せずに、折りたたみ式携帯電話機の開閉状態を検出可能とする手段を提供することにある。
【０００９】
本発明の他の目的は、折りたたみ式携帯電話機に開閉検出手段を設けることによる、コストアップ、あるいは装置サイズへの影響を最小限に抑えることにある。
【課題を解決するための手段】
【００１０】
２つの筐体をヒンジ部により折りたたみ可能に構成された携帯電話機では、通常、自分の音声等を入力するための通話用マイクと相手の音声やメロディー音等を出力するためのレシーバは、互いに別の筐体のヒンジ部からは離れた端部近傍のフロント面に配置されており、この携帯電話機がヒンジ部により折りたたまれた状態では、通話用マイクとレシーバは、互いに対向して接近配置された状態となっている。
【００１１】
本発明の折りたたみ式携帯電話機の開閉検出方法は、この通話用マイクとレシーバの相対的な位置関係が、携帯電話機が折りたたまれた状態と開かれた状態とで異なる点に着目し、携帯電話機が通話用に備えているレシーバより所定周波数の音波を出力するとともに、通話用マイクにより前記所定周波数の音波を受信し、その受信状況によって、折りたたみ式携帯電話機の開閉状態を検出することを特徴とする。
【００１２】
また、開閉状態の検出精度を向上させるために、予め登録した互いに周波数の異なる複数の音波を使用し、登録された周波数の音波を全て検出したかどうかを解析して開閉検出を実現する方法、あるいは予め登録した特定パターンの音波を使用し、通話用マイクで受信された音波が、登録された特定のパターンかどうかを解析して開閉検出を実現する方法、あるいはそれらを組み合わせた方法を採用することができる。
【００１３】
また本発明の携帯電話機は、通話用マイクおよびキー操作部がそのフロント面に配置されている第１の筐体と、通話相手からの音声等を出力するためのレシーバおよび表示部がそのフロント面に配置されている第２の筐体とからなり、ヒンジ部により前記第１および第２の筐体のフロント面を相対向させて折りたたみ可能に構成された折りたたみ式携帯電話機に、所定周波数の信号を発生して前記レシーバより音波として出力する音源部と、前記マイクにより受信された前記所定周波数の音波を検出する検出部と、前記音源部における前記所定周波数の信号の発生を制御するとともに、前記検出部における前記所定周波数の音波の検出状況に基づいて、当該折りたたみ式携帯電話機の開閉状態を判定する制御部とを備えたことを特徴とする。
【００１４】
また前記制御部は、前記折りたたみ式携帯電話機が通話状態ではなく、かつ該折りたたみ式携帯電話機に設けられているキー操作部からのアクセスが一定時間以上ないときのみ、特定時間ごとに前記音源部に対して前記所定周波数信号の発生を指示するとともに前記検出部から前記検出状況を受け付けて前記判定を行うことにより、開閉状態判定のための音波の発生を必要最小限に制限して、音波発生に伴う電力消費を抑えることができる。
【００１５】
本発明を採用することにより、携帯電話機に通話用として備えられているレシーバとマイクを利用して開閉検出が可能となるため、従来の折りたたみ式携帯電話機がその開閉状態検出手段として使用していた磁石、磁気センサ、発光素子、光学センサあるいはマイクロスイッチ等が不要となり、その分コスト低減および携帯電話機の小型軽量化を図ることができる。
【発明の効果】
【００１６】
本発明は、携帯電話機が本来有しているレシーバとマイクを兼用して、折りたたみ式携帯電話機の開閉検出のための手段を構成しているので、開閉検出のために磁石および磁気センサ等の新たな部品を付け加える必要がなく、コストの低減および装置の小型化が可能となる。
【発明を実施するための最良の形態】
【００１７】
図１は、本発明が適用される折りたたみ式携帯電話機の概略図であり、折りたたみ式携帯電話機１０は、自分の音声等を入力するためのマイク１２０、ユーザが文字入力や番号入力等をするためのキー操作部１４０等がそのフロント面に配置されている第１の筐体１１と、相手の音声や着信メロディー音等を出力するためのレシーバ１１０、ユーザへのメッセージを表示する機能あるいはバックライトをＯＮ／ＯＦＦする機能を有するＬＣＤ部１３０等がそのフロント面に配置されている第２の筐体１２と、第１、第２の筐体のフロント面を開閉可能に折りたたむためのヒンジ部により構成されている。
【００１８】
本発明の実施形態では、図１に示す折りたたみ式携帯電話機１０の、レシーバ１１０から特定周波数の音波を送出し、該特定周波数の音波をマイク１２０で受信して検出する構成を備えており、その受信状態に応じて、折りたたみ式携帯電話機１０が折りたたまれている状態（閉状態）と、開かれている状態（開状態）の何れであるかを判定し、判定結果に基づいて携帯電話機１０が備えている各種機能への電源供給制御を行う機能を備えている。
【００１９】
図２は、本実施形態の折りたたみ式携帯電話機における開閉検出方法を実現するために、折りたたみ式携帯電話機１０が備えているシステム構成を示すブロック図である。
【００２０】
制御部１００は、ＬＣＤ部１３０、キー操作部１４０、音源部１５０、検出部１６０、Ｄ／Ａ変換部１７０、Ａ／Ｄ変換部１８０、メモリ部１９０に接続され、キー操作部１４０、検出部１６０から情報を入力し、ＬＣＤ部１３０、音源部１５０を制御する機能を有する。また、Ｄ／Ａ変換部１７０へ送出されるディジタル信号を処理し、Ａ／Ｄ変換部１８０から入力されるディジタル信号を処理する機能も有する。メモリ部１９０には、制御部１００が携帯電話機の各種動作を実行するための制御プログラムあるいはデータが格納されている。なお、携帯電話機１０には、基地局との間で無線による送受信を行う無線部およびアンテナ等の構成も含まれているが、それらの構成は本発明とは直接関係するものではないので、図では省略している。
【００２１】
音源部１５０は、制御部１００、レシーバ１１０に接続され、制御部１００からの命令により可聴周波数以上の種々の周波数の信号を発生して、レシーバ１１０へ出力する機能を有する。レシーバ１１０は、音源部１５０、Ｄ／Ａ変換部１７０に接続され、音源部１５０より入力された信号やＤ／Ａ変換部１７０より入力されたアナログ信号を外部に音波として出力する機能を有する。
【００２２】
マイク１２０は、検出部１６０に接続され、外部から入力された音波をアナログ信号として検出部１６０に出力する機能を有する。検出部１６０は、マイク１２０、制御部１００、Ａ／Ｄ変換部１８０に接続され、マイク１２０より入力されたアナログ信号を解析し、音声データはＡ／Ｄ変換部１８０に出力し、音源部１５０で発生された可聴周波数以上の信号が検出されたときにはその結果を制御部１００に通知する機能を有する。
【００２３】
Ｄ／Ａ変換部１７０は、制御部１００から入力されたディジタルデータをアナログ音声データに変換してレシーバ１００へ出力する機能を有する。Ａ／Ｄ変換部１８０は、検出部１６０から入力されたアナログ音声データをディジタルデータに変換して制御部１００へ出力する機能を有する。ＬＣＤ部１３０は制御部１００に接続され、制御部１００からの命令に従って画面に文字情報等を表示したり、バックライトをＯＮ／ＯＦＦしたりする機能を有する。キー操作部１４０は制御部１００に接続され、ユーザが操作した情報を制御部１００に通知する機能を有する。
【００２４】
レシーバ１１０とマイク１２０は、通常、通話時の音声のやりとりを行う際に使用されており、通話時には、マイク１２０から入力された音声信号は、Ａ／Ｄ変換部１８０でディジタル信号に変換された後に符号化され、制御部１００に渡されて処理される。逆に制御部１００から出力されたディジタル信号はＤ／Ａ変換部１７０で復号化された後に、アナログ信号に変換され音声としてレシーバ１１０から出力される。本発明ではこのルートの一部を利用して折りたたみ式携帯電話機１０の開閉検出を実施している。
【００２５】
図３は、本実施形態の動作を示すフローチャートである。以下、図１〜図３を参照して本実施形態の動作について説明する。
【００２６】
まず初めに、制御部１００は現在の状態が通話状態なのかそうでないのかを確認し（Ｓ１）、通話状態（Ｓ１，Ｙｅｓ）であれば、携帯電話機１０が開状態であると認識し（Ｓ９）、通話状態でない（Ｓ１，Ｎｏ）と判断した場合、キー操作部１４０からの通信が一定期間内にあったかどうかを、最後のキーアクセスから一定時間経過したか否かにより確認する（Ｓ２）。この一定時間は任意に設定可能であるが例えば数分程度に設定される。キー操作部１４０からの通信が一定期間内にあった場合（Ｓ２，Ｎｏ）は、携帯電話機１０が開状態であると認識する（Ｓ９）。
【００２７】
通話状態でなく（Ｓ１，Ｎｏ）、キー操作部１４０からの通信も一定期間以上なかった（Ｓ２，Ｙｅｓ）と判断した場合、制御部１００は、音源部１５０に対し動作指示を与える（Ｓ３）。音源部１５０は様々な周波数の音を発生する機能を有しており、制御部１００より動作指令があった場合、制御部１００により指定された可聴周波数よりも高い周波数の信号を発生させる。ここで、可聴周波数とは人間が聞くことが出来る周波数のことを指し、その範囲は一般的に２０Ｈｚ〜２０，０００Ｈｚと言われている。音源部１５０より発生された可聴周波数以上の信号はレシーバ１１０から超音波として外部に出力される（Ｓ４）。
【００２８】
外部からの音響信号はマイク１２０にて受波され（Ｓ５）、検出部１６０に入力されて解析される（Ｓ６）。検出部１６０は、マイク１２０から入力された信号がどの程度の周波数を有する信号であるかを解析する機能を有しており、可聴周波数以上の信号であるか否かが判定される（Ｓ７）。その結果、可聴周波数以上の音波が検出された場合（Ｓ７，Ｙｅｓ）には、検出部１６０は制御部１００に対して可聴周波数以上の音波が受信されたことを示す情報を出力する。
【００２９】
なお、携帯電話機１０が折りたたまれた状態でレシーバ１１０とマイク１２０が対向接近しているときのみレシーバ１１０から送出される可聴周波数以上の信号が所定閾値以上の信号として検出され、携帯電話機１０が開かれた状態でレシーバ１１０とマイク１２０が離れているときには、レシーバ１１０から送出される可聴周波数以上の信号が検出されたとしても所定閾値には達しないように、音源部１５０からレシーバ１１０を介して送出される可聴周波数以上の信号のレベルは、音源部１５０において予め調整されている。
【００３０】
また、制御部１００から検出部１６０に対して、音源部１５０からレシーバ１１０を介して送出される可聴周波数以上の信号の発生タイミング情報を与えておき、音源部１５０からレシーバ１１０を介して送出される可聴周波数以上の信号の発生期間のみ、検出部１６０から制御部１００に対して可聴周波数以上の音波が受信されたか否かを示す情報を出力することにより、外部雑音による誤判定を低減できる。あるいは制御部１００が音源部１５０からレシーバ１１０を介して送出される可聴周波数以上の信号の発生期間のみ、検出部１６０からの出力を受け付けるように構成してもよい。また、検出部１６０は、制御部１００から通話中であるかどうかという情報を受け取っており、通話中でないという情報を受け取っている場合は、検出部１６０からＡ／Ｄ変換部１８０へは検出アナログ信号を出力しない構成となっている。
【００３１】
検出部１６０より可聴周波数以上の音が所定閾値以上のレベルで受信された（Ｓ７，Ｙｅｓ）という情報を受け取った制御部１００は、携帯電話機１０が閉状態であると認識し（Ｓ８）、ＬＣＤ部１３０に対してバックライトをＯＦＦにするよう命令したり、その他不要な機能をＯＦＦにするよう命令するとともに、キー操作部１４０からのアクセスがあるか否かを監視する（Ｓ１０）。Ｓ１０でキー操作部１４０からのアクセスが検出された場合（Ｓ１０，Ｙｅｓ）、ユーザにより折りたたみ式携帯電話機１０が開かれた状態に切り替えられたものと推測できるので、制御部１００はＳ１に戻って、図３に示すフローを再開する。
【００３２】
また検出部１６０にて解析した結果、検出された信号が可聴周波数以上の音ではない場合（Ｓ７，Ｎｏ）には、検出部１６０から制御部１００に対して可聴周波数以上の音波が受信されたことを示す情報は出力されないため、制御部１００は折りたたみ式携帯電話機１０が開状態と認識する（Ｓ９）。Ｓ１、Ｓ２、Ｓ７で、制御部１００が開状態を認識した場合（Ｓ９）には、特定時間経過した後（Ｓ１１，Ｙｅｓ）に、制御部１００は、通話状態かどうか、キー操作部１４０からの通信があったかどうかを再度確認する。この特定時間も任意に設定できるが、例えば１０分程度に設定しておけば、開状態から閉状態に移行した場合、制御部１００は少なくとも１０分以内に閉状態を認識して節電指示をすることができる。
【００３３】
なお、制御部１００により閉状態が認識されている携帯電話機を開いた状態（開状態）としたまま何らのキー操作も実行されない場合には、制御部１００は閉状態を認識したままであるが、折りたたみ式の携帯電話機の使用形態としては、ユーザが閉じられている状態（閉状態）の携帯電話機を開いた状態（開状態）とした場合には、携帯電話機を使用するためにユーザにより何かしらのキー操作が実行されるので、本実施形態では、制御部１００が閉状態を認識している間は、制御部１００はキー操作部１４０からのアクセスがあるか否かを監視し（Ｓ１０）、キー操作部１４０からのアクセスがなければ制御部１００は閉状態を継続して認識する。
【００３４】
従って、その間は、音源部１５０からレシーバ１１０介して可聴周波数以上の音波は出力されないので、折りたたみ式携帯電話機１０の閉状態が認識されている時に開閉判定のために余分の電力消費が発生することはない。そして、キー操作部１４０からのアクセスがあれば（Ｓ１０，Ｙｅｓ）、制御部１００は、Ｓ２において即座に開状態を認識する。
【００３５】
また、制御部１００が開状態を認識している場合であっても、通話状態あるいはキー操作が実行されているときには音源部１５０からレシーバ１１０介しての可聴周波数以上の音波は出力されず、通話状態ではなく、かつキー操作が一定時間以上実行されていない場合のみ、特定時間ごとに音源部１５０からレシーバ１１０介して可聴周波数以上の音波が出力されるが、この特定時間は任意に設定可能であり、また音源部１５０から発生する可聴周波数以上の信号の出力時間は、短時間（例えば数ｍｓｅｃ程度）でよく、また閉状態のときには、レシーバ１１０とマイク１２０は互いに接するような状態で対向配置されるため、送出音波のレベルも極めて小さな値に設定できるので、音波送出による消費電力も低く抑えることができる。
【００３６】
なお上記の実施形態では、可聴周波数以上の音を１種類のみ使用して折りたたみ式携帯電話機における開閉検出を実現しているが、複数の可聴周波数以上の音を組み合わせて使用することにより、開閉検出判定の誤動作防止を図ることが可能である。また、その場合、送出する音波として、可聴周波数領域の音波を用いることも可能であり、外部雑音による誤動作を生ずることは殆どない。
【００３７】
例えば、音波として、予め登録した互いに周波数の異なる複数の音波の組み合わせを使用し、音源部１５０から同時あるいは順番にこれら複数の音波を出力させる。一方、検出部１６０には、予め複数の周波数の音情報が登録されており、その全ての周波数の音を検出した場合に制御部１００に情報をあげることにより、折りたたみ式携帯電話機の開閉検出をより正確に判定することができる。
【００３８】
以下、参考までに通話状態（Ｓ１，Ｙｅｓ）であった場合の音声処理ルートを説明すると、まず自分が発生する音声に関しては、マイク１２０から拾われた後、検出部１６０に入力される。制御部１００は通話状態であると判断した場合、検出部１６０に対して通話中であるという情報を与える。制御部１００より通話中であるという情報を受け取った検出部１６０は周波数の解析を実施せずにそのままＡ／Ｄ変換部１８０へ音声信号を出力する。この時、検出部１６０から制御部１００には情報はあげられない。その後、Ａ／Ｄ変換部１８０にてＡ／Ｄ変換、符号化が実施され制御部１００へ出力され処理される。次に、話し相手の音声に関しては制御部１００から出力されたデータがＤ／Ａ変換部１７０にて、復号化され、Ｄ／Ａ変換が実施されレシーバ１１０より音声として出力される。
【００３９】
図４は、本発明の他の実施形態を示すフローチャートである。本実施形態は、先の実施形態と基本的な構成および動作は同じであるが、検出部１６０での検出方法が異なる。
【００４０】
先の実施形態では、音源部１５０からレシーバ１１０を介して外部に出力された可聴周波数以上の音を、マイク１２０を介して受け取った検出部１６０が可聴周波数以上であるかどうかを解析することで実現しているが、本実施形態では、音源部１５０から可聴周波数以上の特定のパターンの音を出力し、検出部１６０に入力された音があらかじめ指定された特定のパターンであるかどうかを解析することで実現している。以下、本実施形態の動作について図４のフローチャートを用いて説明する。
【００４１】
まず初めに、制御部１００は現在の状態が通話状態なのかそうでないのかを確認し（Ｓ１）、通話状態（Ｓ１，Ｙｅｓ）であれば、携帯電話機１０が開状態であると認識し（Ｓ９）、通話状態でない（Ｓ１，Ｎｏ）と判断した場合、キー操作部１４０からの通信が一定期間内にあったかどうかを、最後のキーアクセスから一定時間経過したか否かにより確認する（Ｓ２）。この一定時間は任意に設定可能であるが例えば数分程度に設定される。キー操作部１４０からの通信が一定期間内にあった場合（Ｓ２，Ｎｏ）は、携帯電話機１０が開状態であると認識する（Ｓ９）。なお、通話状態であった場合の音声処理については、先の実施形態と同様である。
【００４２】
通話状態でなく（Ｓ１，Ｎｏ）、キー操作部１４０からの通信も一定期間以上なかった（Ｓ２，Ｙｅｓ）と判断した場合、制御部１００は、音源部１５０に対し動作指示を与える（Ｓ３）。音源部１５０は様々な周波数の音を発生する機能を有しており、制御部１００より動作指令があった場合、可聴周波数以上の特定のパターンを持った信号を発生させる。特定のパターンとしては、例えば図５に示すように、可聴周波数以上の音のＯＮ／ＯＦＦを所定周期で繰り返すパターン（パターン例１）、あるいは可聴周波数以上の音のＯＮ／ＯＦＦ繰り返し周期を互いに異ならせるパターン（パターン例２，３）等により実現可能である。音源部１５０より発生された特定のパターンを持った可聴周波数以上の信号はレシーバ１１０から超音波として外部に出力される（Ｓ４）。
【００４３】
検出部１６０には、音源部１５０から出力される特定のパターンの音情報があらかじめ登録されている。外部からの音響信号はマイク１２０にて受波され（Ｓ５）、検出部１６０に入力されて解析され（Ｓ６）、あらかじめ登録されているパターンの音かどうかが判定される（Ｓ７）。その結果、登録されたパターンの音であった場合（Ｓ７，Ｙｅｓ）には、検出部１６０は制御部１００に対して登録されたパターンの音であるという情報を出力する。
【００４４】
なお、本実施形態においても、携帯電話機１０が折りたたまれた状態でレシーバ１１０とマイク１２０が対向接近しているときのみレシーバ１１０から送出される可聴周波数以上の信号が所定閾値以上の信号として検出され、携帯電話機１０が開かれた状態でレシーバ１１０とマイク１２０が離れているときには、レシーバ１１０から送出される可聴周波数以上の信号が検出されたとしても所定閾値には達しないように、音源部１５０からレシーバ１１０を介して送出される可聴周波数以上の信号のレベルは、音源部１５０において予め調整されている。
【００４５】
また、制御部１００から検出部１６０に対して、音源部１５０からレシーバ１１０を介して送出される特定のパターン信号の発生タイミング情報を与えておき、音源部１５０からレシーバ１１０を介して送出される特定のパターン信号の発生期間のみ、検出部１６０から制御部１００に対して特定のパターンの音波が受信されたか否かを示す情報を出力することにより、外部雑音による誤判定を一層低減できる。あるいは制御部１００が音源部１５０からレシーバ１１０を介して送出される特定のパターン信号の発生期間のみ、検出部１６０からの出力を受け付けるように構成してもよい。
【００４６】
検出部１６０より検出された信号が登録されたパターンである（Ｓ７，Ｙｅｓ）という情報を受け取った制御部１００は、携帯電話機１０が閉状態であると認識し（Ｓ８）、ＬＣＤ部１３０に対してバックライトをＯＦＦにするよう命令したり、その他不要な機能をＯＦＦにするよう命令するとともに、キー操作部１４０からのアクセスがあるか否かを監視する（Ｓ１０）。Ｓ１０でキー操作部１４０からのアクセスが検出された場合（Ｓ１０，Ｙｅｓ）、ユーザにより折りたたみ式携帯電話機１０が開かれた状態に切り替えられたものと推測できるので、制御部１００はＳ１に戻って、図４に示すフローを再開する。
【００４７】
また検出部１６０にて解析した結果、検出された信号が登録されていないパターンの音であった場合（Ｓ７，Ｎｏ）には、検出部１６０から制御部１００に対して登録されたパターンが受信されたことを示す情報は出力されないため、制御部１００は開状態と認識したままである。Ｓ１、Ｓ２、Ｓ７で、制御部１００が開状態を認識した場合（Ｓ９）には、特定時間経過した後に制御部１００は、通話状態かどうか、キー操作部１４０からの通信があったかどうかを再度確認する（Ｓ１１）。この特定時間も任意に設定できるが、例えば１０分程度に設定しておけば、開状態から閉状態に移行した場合、制御部１００は少なくとも１０分以内に閉状態を認識して節電指示をすることができる。
【００４８】
なお、本実施形態の場合には、マイク１２０で受信された信号が特定のパターンを有しているときのみ、携帯電話機１０が閉状態であると認識されるので、音源部１５０から出力する音が可聴周波数帯であってもユーザの話し声等で誤動作することはなく実施可能である。ただし、レシーバ１１０から送出される特定パターンの音がユーザに聞こえてしまうため、可聴周波数以上の音を使用する方がより好ましいが、可聴周波数帯の音波を使用すれば、携帯電話機を開状態としたままユーザが何の操作もせずに放置していることを知らせる効果がある。
【００４９】
また、本実施形態においても、制御部１００が閉状態を認識している間は、制御部１００はキー操作部１４０からのアクセスがあるか否かの監視のみを行い、その間は、音源部１５０からレシーバ１１０介して特定パターンの音波は出力されない。従って、閉状態時に余分の電力消費が発生することはない。
【００５０】
さらに、制御部１００が開状態を認識している場合であっても、通話状態あるいはキー操作が実行されているときには音源部１５０からレシーバ１１０介しての特定パターンの音波は出力されず、通話状態ではなく、かつキー操作が一定時間以上実行されていない場合のみ、特定時間ごとに音源部１５０からレシーバ１１０介して特定パターンの音波が出力されるが、この特定時間は任意に設定可能であり、また音源部１５０から発生する特定パターンの信号の出力時間は、短時間（例えば数ｍｓｅｃ程度）でよく、また閉状態のときには、レシーバ１１０とマイク１２０は互いに接するような状態で対向配置されるため、送出音波のレベルも極めて小さな値に設定でき、音波送出による消費電力も低く抑えることができる。
【００５１】
なお上記実施形態では、周波数の解析をせずに可聴周波数以上の音を１種類のみ使用して特定のパターンであるかどうかのみの判断で開閉検出を実現しているが、複数の可聴周波数以上の音と特定のパターンとを組み合わせて開閉検出することで誤動作防止を図ることが可能である。例えば、音源部１５０から同時に出力させた複数の音のパターンを検出部１６０で解析したり、音源部１５０から順番に出力させた複数の音のパターンを検出部１６０で解析させたりすることでより確実な開閉検出が可能となる。
【図面の簡単な説明】
【００５２】
【図１】本発明が適用される折りたたみ式携帯電話機の概略図である。
【図２】本実施形態の折りたたみ式携帯電話機における開閉検出方法を実現するためのシステム構成を示すブロック図である。
【図３】本実施形態の動作を示すフローチャートである。
【図４】本発明の他の実施形態を示すフローチャートである。
【図５】図４に示す実施形態において用いられる送出音波のパターンの例を示す図である。
【図６】開閉検出手段を備えた従来例を示す折りたたみ式携帯電話機の概略図である。
【符号の説明】
【００５３】
１０  折りたたみ式携帯電話機
１１  第１の筐体
１２  第１の筐体
１００  制御部レシーバ
１１０  レシーバ
１２０  マイク
１３０  ＬＣＤ部
１４０  キー操作部
１５０  音源部
１６０  検出部
１７０  Ｄ／Ａ変換部
１８０  Ａ／Ｄ変換部
１９０  メモリ部
２１０  磁石
２２０  磁気センサ
【図１】
2006211036.tif 000003
【図２】
2006211036.tif 000004
【図３】
2006211036.tif 000005
【図４】
2006211036.tif 000006
【図５】
2006211036.tif 000007
【図６】
2006211036.tif 000008